(57)【特許請求の範囲】
【請求項１】
マンホールの周壁に固定された足掛金物の周壁に対する引張固定強度を検査する際に用いられる足掛金物固定強度検査治具であって、
前記マンホールの上部開口から該マンホール内に挿入可能な架台部と、
前記架台部に所定間隔を有して設けられて該架台部の一方側に互いに略平行に延びて伸縮自在であり前記足掛金物を跨ぐようにして配置される一対の脚部と、
前記一対の脚部間の前記架台に設けられて先端部に前記足掛金物を掛止可能な掛止部を連結して前記足掛金物を引っ張る油圧シリンダと、
前記脚部の先端部に回動自在に設けられて前記マンホールの前記周壁の周方向に沿って接触可能な接触板とを備えることを特徴とする足掛金物固定強度検査治具。
【請求項２】
前記油圧シリンダは、そのシリンダチューブが前記架台部を中央にして前記脚部と反対側に配設されて該架台部に対して前記脚部の延伸方向と略同一方向に移動自在に支持され、
前記シリンダチューブから延びるシリンダロッドは前記架台部に固定され、
前記掛止部は、前記シリンダチューブに連結部材を介して連結されて前記架台部に対して脚部側に配置されることを特徴とする請求項１に記載の足掛金物固定強度検査治具。
【請求項３】
前記接触板の表面には、前記マンホールの前記周壁との摩擦抵抗を増大させるための凹凸が設けられていることを特徴とする請求項１又は２に記載の足掛金物固定強度検査治具。
【請求項４】
マンホール内に挿入可能な架台部と、前記架台部に所定間隔を有して設けられて該架台部の一方側に互いに略平行に延びて伸縮自在であり前記マンホールの周壁に固定された足掛金物を跨ぐようにして配置される一対の脚部と、前記一対の脚部間の前記架台部にシリンダチューブが前記脚部の延伸方向と略同一方向に移動自在に支持されてシリンダロッドが前記架台部に固定され前記足掛金物に掛止可能な掛止部を前記シリンダチューブと連動して移動可能に設けて前記足掛金物を引っ張る油圧シリンダと、前記脚部の先端部に回動自在に設けられて前記マンホールの前記周壁の周方向に沿って接触可能な接触板とを備えて、前記油圧シリンダによって前記足掛金物を引っ張って前記足掛金物の周壁に対する引張固定強度を検査する足掛金物固定強度検査治具を用いた固定強度検査方法であって、
前記油圧シリンダの前記シリンダチューブを前記架台部から離反した位置に移動させて前記掛止部を前記架台部に接近した位置に移動させた状態で、該掛止部に前記足掛金物を掛止し、前記油圧シリンダのボトム側油室に作動油を供給して前記シリンダロッドに対して前記シリンダチューブを前記架台部から離反する方向に移動させて前記掛止部を介して前記足掛金物を引っ張ることを特徴とする足掛金物固定強度検査治具を用いた固定強度検査方法。
【請求項５】
マンホール内に挿入可能な架台部と、前記架台部に所定間隔を有して設けられて該架台部の一方側に互いに略平行に延びて伸縮自在であり前記マンホールの周壁に固定された足掛金物を跨ぐようにして配置される一対の脚部と、前記一対の脚部間の前記架台部にシリンダチューブが前記脚部の延伸方向と略同一方向に移動自在に支持されてシリンダロッドが前記架台部に固定され前記足掛金物に掛止可能な掛止部を前記シリンダチューブと連動して移動可能に設けて前記足掛金物を引っ張る油圧シリンダと、前記脚部の先端部に回動自在に設けられて前記マンホールの前記周壁の周方向に沿って接触可能な接触板とを備えて、前記油圧シリンダによって前記足掛金物を引っ張って前記足掛金物の周壁に対する引張固定強度を検査する足掛金物固定強度検査治具を用いた固定強度検査方法であって、
前記油圧シリンダの前記シリンダチューブを前記架台部に接近した位置に移動させて前記掛止部を前記架台部から離反させた状態で、該掛止部に前記足掛金物を掛止し、前記油圧シリンダのボトム側油室に作動油を供給して前記シリンダロッドに対して前記シリンダチューブを前記架台部から離反する方向に移動させて前記掛止部を介して前記足掛金物を引っ張ることを特徴とする足掛金物固定強度検査治具を用いた固定強度検査方法。
【発明の詳細な説明】
【技術分野】
【０００１】
本発明は、マンホールの周壁に固定された足掛金物の周壁に対する引張固定強度を検査する際に用いられる足掛金物固定強度検査治具及びこの治具による固定強度検査方法に関する。
【背景技術】
【０００２】
マンホールは下水管等の検査や掃除を行うために作業者が出入可能に地上に開口して設けられている。深さが深いマンホールには、その内部の周壁に作業者が昇降するための複数の足掛金物が固定した状態で設けられている。この足掛金物は、平面視においてコ字状に形成されたものが知られてあり、足掛金物の両端部の一対の脚部がマンホールの周壁に埋設された状態で固定される。
【０００３】
このような足掛金物は、マンホール内に硫化水素ガス等が発生すると、腐食し易く、設置されてから長時間が経過すると固定強度が低下する。このように足掛金物の強度が低下した場合、作業者が強度低下した足掛金物に足を掛けてマンホール内を昇降すると、足を踏み外して落下する虞がある。そこで、足掛金物の状態を良好な状態に維持・管理するためのマンホール診断装置が特許文献１に提案されている。
【０００４】
このマンホール診断装置８０は、図９（ａ）（斜視図）に示すように、高さ調整可能なねじ棒からなる３本の脚部８１と、これらの脚部８１によって所望の高さ位置に保持される架台８２と、架台８２の中央部に配設された牽引金具８３と、この牽引金具８３によって付与される荷重の大きさを検知する荷重計８４と、この荷重計８４により検査物に荷重が作用された際の検査物の変位量を検知する変位計８５と、荷重計８４及び変位計８５により検知された検出値を表示する表示計８６とを有してなる。
【０００５】
このマンホール診断装置８０によって引張試験を行う場合には、図９（ｂ）（斜視図）に示すように、架台８２を横向きにして脚部８１をマンホールの周壁７７に対して直交するように配置した状態とし、牽引金具８３の連結部８３ａを足掛金物７３に連結する。連結された足掛金物７３の近傍に配設した変位計８５の検出子を足掛金物７３に係合させた状態にして変位計８５のゼロ点設定を行う。そして、足掛金物７３に所定の引張力を作用させて、足掛金物７３が周壁７７から引き抜かれるようにして変位すると、この変位量が変位計８５によって計測されて表示計８６によって表示される。
【０００６】
【特許文献１】特開平９−３１６９０５号公報
【発明の開示】
【発明が解決しようとする課題】
【０００７】
この従来のマンホール診断装置の脚部を構成するねじ棒は、径が比較的に小さいとともに、先端部の面が平らな面に加工されておらず凹凸を有した荒い面のままである。一方、マンホールの周壁は円弧状に弯曲している。このため、ねじ棒の先端部がマンホールの周壁に突き当たっても、その面全体が周壁に接触することはなく、片当たりの状態になる。また上下方向に傾いたマンホールの周壁に固定された足掛金物の引張強度を測定する場合、３本のねじ棒のいずれかの先端部を垂直方向に延びる周壁に当接し、他のねじ棒の先端部を斜めに傾斜した周壁に当接するようにねじ棒の長さを調整すると、傾斜した周壁に当接するねじ棒の先端部の片当たり状態はさらに悪化する。また斜めに傾斜した周壁に３本のねじ棒のすべてが突き当たるようにねじ棒の長さを調整した場合、ねじ棒は足掛金物の延伸方向に略平行に配置されるが、周壁は斜めに傾いているので、全てのねじ棒の先端部の片当たり状態はより悪化した状態となる。このため、従来のマンホール診断装置は、架台に設けられた荷重計の支持が不安定な状態となり、足掛金物に対する牽引金具の延設位置がずれて、足掛金物の周壁に対する引張固定強度を正確に測定できない虞があるという問題があった。
【０００８】
本発明は、このような問題に応えるために提案されたものであり、足掛金物の周壁に対する引張固定強度を正確に測定することができる足掛金物固定強度検査治具及びこれを用いた固定強度検査方法を提供することを目的とする。
【課題を解決するための手段】
【０００９】
このような課題を解決するため、本発明は、以下の特徴を有する。特徴の一つは、マンホールの周壁に固定された足掛金物の周壁に対する引張固定強度を検査する際に用いられる足掛金物固定強度検査治具であって、マンホールの上部開口から該マンホール内に挿入可能な架台部と、架台部に所定間隔を有して設けられて該架台部の一方側に互いに略平行に延びて伸縮自在であり足掛金物を跨ぐようにして配置される一対の脚部と、一対の脚部間の架台に設けられて先端部に足掛金物を掛止可能な掛止部を連結して足掛金物を引っ張る油圧シリンダと、脚部の先端部に回動自在に設けられてマンホールの周壁の周方向に沿って接触可能な接触板とを備えることを特徴とする。
【００１０】
この特徴によれば、マンホール内に挿入可能な架台部と、架台部に設けられて該架台部の一方側に互いに略平行に延びて伸縮自在であり足掛金物を跨ぐようにして配置される一対の脚部と、一対の脚部間の架台に設けられて掛止部を連結して足掛金物を引っ張る油圧シリンダと、脚部の先端部に回動自在に設けられてマンホールの周壁の周方向に沿って接触可能な接触板とを備えることにより、垂直方向に延びるマンホールの周壁に固定された足掛金物の周壁に対する引張固定強度を検査する場合、一対の脚部の長さを調整した状態で、各先端部に設けられた接触板を水平方向に延ばした状態で垂直方向に延びる周壁に突き当てると、接触板は周壁の周方向に回動して周壁に沿って接触する。また上下方向に斜めに傾いた周壁に設けられた足掛金物の周壁に対する引張固定強度を検査する場合、一対の脚部の長さを調整した状態で、一方の脚部の先端部に設けられた接触板を水平方向に延ばした状態で垂直方向に延びる周壁に突き当て、他方の脚部の先端部に設けられた接触板を水平方向に延ばした状態で斜めに傾斜した周壁に突き当てると、これらの接触板は対応する周壁の周方向に回動して周壁に沿って接触する。さらに一対の脚部の長さを調整した状態で、一対の脚部の各先端部に設けられた接触板の両方を水平方向に延ばした状態で斜めに傾斜した周壁に突き当てると、これらの接触板は周壁の周方向に回動して周壁に沿って接触する。このため、足掛金物が固定された周壁の傾斜状態に拘わることなく、接触板は比較的に広い面積を有して周壁に接触することができる。従って、一対の脚部によって架台部を安定に支持して、油圧シリンダを足掛金物の両端部に設けられた脚部の延伸方向と略同一方向に配置することができ、その結果として足掛金物の周壁に対する引張固定強度の検査を正確に行うことができる。
【００１１】
また特徴の一つは、油圧シリンダは、そのシリンダチューブが架台部を中央にして脚部と反対側に配設されて該架台部に対して脚部の延伸方向と略同一方向に移動自在に支持され、シリンダチューブから延びるシリンダロッドは架台部に固定され、掛止部は、シリンダチューブに連結部材を介して連結されて架台部に対して脚部側に配置されることを特徴とする。
【００１２】
この特徴によれば、油圧シリンダのシリンダチューブを架台部を中央にして脚部と反対側に配設して該架台部に対して脚部の延伸方向と略同一方向に移動自在に支持し、シリンダロッドを架台部に固定し、掛止部をシリンダチューブに接続された連結部材を介して連結することにより、架台部に対するシリンダチューブの相対位置を変えると、シリンダチューブに連結部材を介して連結された掛止部がシリンダチューブの移動方向と同一方向に移動する。このため、シリンダチューブの移動に伴って、掛止部を架台部に対して接近した位置及び離反した位置に移動させることができる。このため、脚部が伸長状態にあるときには、シリンダチューブを架台側に接近させ、脚部が縮小状態にあるときには、シリンダチューブを架台から離反させた位置に移動させて使用することができる。このため、脚部の伸縮状態に応じて掛止部の位置調整を行うだけで、足掛金物固定強度検査治具の準備作業を終えることができ、足掛金物に掛止部を掛止する作業の作業性を向上することができる。
【００１３】
また特徴の一つは、接触板の表面には、マンホールの周壁との摩擦抵抗を増大させるための凹凸が設けられていることを特徴とする。
【００１４】
この特徴によれば、接触板の表面に、マンホールの周壁との摩擦抵抗を増大させる凹凸を設けることにより、周壁に対する接触板の摩擦抵抗をより増大させることができ、油圧シリンダによって足掛金物を引っ張っている際に脚部の先端部が周壁からずれる虞を確実に防止して、足掛金物の周壁に対する引張固定強度の検査をより正確に行うことができる。
【００１５】
また特徴の一つは、マンホール内に挿入可能な架台部と、架台部に所定間隔を有して設けられて該架台部の一方側に互いに略平行に延びて伸縮自在でありマンホールの周壁に固定された足掛金物を跨ぐようにして配置される一対の脚部と、一対の脚部間の架台部にシリンダチューブが脚部の延伸方向と略同一方向に移動自在に支持されてシリンダロッドが架台部に固定され足掛金物に掛止可能な掛止部をシリンダチューブと連動して移動可能に設けて足掛金物を引っ張る油圧シリンダと、脚部の先端部に回動自在に設けられてマンホールの周壁の周方向に沿って接触可能な接触板とを備えて、油圧シリンダによって足掛金物を引っ張って足掛金物の周壁に対する引張固定強度を検査する足掛金物固定強度検査治具を用いた固定強度検査方法であって、油圧シリンダのシリンダチューブを架台部から離反した位置に移動させて掛止部を架台部に接近した位置に移動させた状態で、該掛止部に足掛金物を掛止し、油圧シリンダのボトム側油室に作動油を供給してシリンダロッドに対してシリンダチューブを架台部から離反する方向に移動させて掛止部を介して足掛金物を引っ張ることを特徴とする。
【００１６】
この特徴によれば、油圧シリンダのシリンダチューブを架台部から離反した位置に移動させて掛止部を架台部に接近した位置に移動させた状態で、該掛止部に足掛金物を掛止し、油圧シリンダのボトム側油室に作動油を供給してシリンダロッドに対してシリンダチューブを架台部から離反する方向に移動させて掛止部を介して足掛金物を引っ張ることにより、架台部に接近した位置に掛止部を移動させた状態で足掛金物を引っ張ることができる。このため、一対の脚部の長さが短い長さに調整されているときに、シリンダチューブを架台部から離反する方向に移動させて掛止部を架台部に接近した位置に移動させると、一対の脚部の長さ調整を殆ど行うことなく、足掛金物の周壁に対する引張固定強度の検査を行うことができ、足掛金物の固定強度検査を行うための準備作業の作業性を向上することができる。
【００１７】
また特徴の一つは、マンホール内に挿入可能な架台部と、架台部に所定間隔を有して設けられて該架台部の一方側に互いに略平行に延びて伸縮自在でありマンホールの周壁に固定された足掛金物を跨ぐようにして配置される一対の脚部と、一対の脚部間の架台部にシリンダチューブが脚部の延伸方向と略同一方向に移動自在に支持されてシリンダロッドが架台部に固定され足掛金物に掛止可能な掛止部をシリンダチューブと連動して移動可能に設けて足掛金物を引っ張る油圧シリンダと、脚部の先端部に回動自在に設けられてマンホールの周壁の周方向に沿って接触可能な接触板とを備えて、油圧シリンダによって足掛金物を引っ張って足掛金物の周壁に対する引張固定強度を検査する足掛金物固定強度検査治具を用いた固定強度検査方法であって、油圧シリンダのシリンダチューブを架台部に接近した位置に移動させて掛止部を架台部から離反させた状態で、該掛止部に足掛金物を掛止し、油圧シリンダのボトム側油室に作動油を供給してシリンダロッドに対してシリンダチューブを架台部から離反する方向に移動させて掛止部を介して足掛金物を引っ張ることを特徴とする。
【００１８】
この特徴によれば、油圧シリンダのシリンダチューブを架台部に接近した位置に移動させて掛止部を架台部から離反させた状態で、該掛止部に足掛金物を掛止し、油圧シリンダのボトム側油室に作動油を供給してシリンダロッドに対してシリンダチューブを架台部から離反する方向に移動させて掛止部を介して足掛金物を引っ張ることにより、架台部から離反した位置に掛止部を移動させた状態で足掛金物を引っ張ることができる。このため、一対の脚部の長さが長い状態に調整されているときに、シリンダチューブを架台部に接近する方向に移動させて掛止部を架台部から離反した位置に移動させると、一対の脚部の長さ調整を殆ど行うことなく、足掛金物の周壁に対する引張固定強度の検査を行うことができ、足掛金物の固定強度検査を行うための準備作業の作業性を向上することができる。
【発明の効果】
【００１９】
本発明に係わる足掛金物固定強度検査治具及びこの治具を用いた固定強度検査方法によれば、上記特徴を有することによって、足掛金物の周壁に対する引張固定強度を正確に測定可能な足掛金物固定強度検査治具及びこの治具を用いた固定強度検査方法を提供することができる。
【発明を実施するための最良の形態】
【００２０】
以下、本発明に係わる足掛金物固定強度検査治具及びこの治具を用いた固定強度検査方法の好ましい実施の形態を図１から図８に基づいて説明する。先ず、本発明の足掛金物固定強度検査治具を用いた固定強度検査方法を説明する前に、足掛金物固定強度検査治具について説明する。本実施の形態は、下水道管に連通するマンホールに固定された足掛金物の周壁に対する引張固定強度の検査を行う場合を例にして説明する。なお、説明の都合上、図１（斜視図）に示す矢印の方向を前後方向、左右方向、上下方向として、以下説明する。
【００２１】
足掛金物固定強度検査治具１は、図１，図２（ａ）（平面図），図２（ｂ）（側面図），図２（ｃ）（正面図）に示すように、上下方向に延びる架台部１０と、架台部１０の上下両端部に設けられた一対の脚部２０，２０と、一対の脚部２０，２０間の架台部１０に設けられて先端部に足掛金物を掛止可能な掛止部４５を備えて足掛金物を引っ張る油圧シリンダ３０と、一対の脚部２０，２０の各先端部に回動自在に設けられた接触板５０とを有して構成される。足掛金物７３は、図６（ｂ）（平面図）を更に追加して説明すると、作業者の足を掛ける足掛部７３ａと、足掛部７３ａの両側に設けられて足掛部７３ａに対して略直交する方向に延びる一対の脚部７３ｂとを有してなる。
【００２２】
架台部１０は、マンホール７６の上部開口からマンホール７６内に挿入可能な大きさ有し、平板状に形成されて上下方向に延びる架台本体部１１と、架台本体部１１の左右両側の上端から下端に亘って形成されて前後方向に延びるフランジ部１３とを有し、フランジ部１３によって架台本体部１１の強度を強化している。架台本体部１１の上下両側部には一対の脚部２０，２０を移動可能に支持するねじブロック６１を挿着する一対の挿着孔１１ａが設けられ、架台本体部１１の上下中間部の左右両側には油圧シリンダ３０のシリンダチューブ３１と掛止部４５との間を連結する連結軸４２を摺動可能に挿通する一対の摺動孔１１ｂが設けられている。また架台部１０の上端部の左右両側には一対のアイボルト１４が螺設されており、アイボルト１４を介して足掛金物固定強度検査治具１を吊り下げ可能にしている。
【００２３】
脚部２０は、ねじ棒２１からなる。ねじ棒２１は、図３（ａ）（断面図），図３（ｂ）（断面図），図４（分解斜視図）に示すように、基端側に雄ねじ部２１ａが形成されるとともに、基端部から先端部に亘って位置決め用の溝部２１ｂが設けられている。ねじ棒２１の先端部にはピン５１を介して接触板５０が回動自在に取り付けられている。
【００２４】
ねじ棒２１の基端部には、架台部１０に対してねじ棒２１を前後方向に送り出す送出機構部６０が取り付けられている。送出機構部６０は、挿着孔１１ａに挿着された前述したねじブロック６１と、ねじブロック６１の前側に螺着される移動規制リング６４と、ねじブロック６１と移動規制リング６４との間に挟持されるナット６６と、ナット６６の先端部に固定されるナットカバー６８とを有してなる。
【００２５】
ねじブロック６１は、円筒状に形成され、内部にねじ棒２１を挿通可能な貫通孔６１ａが設けられ、軸方向中間部には架台部１０の架台本体部１１の側面に当接して架台部１０に対するねじブロック６１の前方向の位置決めをする環状の段部６１ｂが設けられている。段部６１ｂの上部には、貫通孔６１ａに連通して位置決め用のボルト６２を螺合するための雌ねじ部６１ｃが設けられている。段部６１ｂよりも前側には架台部１０の挿通孔１１ａに嵌合される円筒状の嵌合部６１ｄが形成され、嵌合部６１ｄの先端側の外周面には雄ねじ部６１ｅが形成されている。ねじブロック６１の嵌合部６１ｄを架台部１０の挿着孔１１ａに嵌合させて段部６１ｂを架台本体部１１の側面に当接させると、雄ねじ部６１ｅが架台本体部１１から突出するように構成されている。ねじブロック６１は挿着孔１１ａに挿着された状態で、架台部１０の上部に螺合する角度位置決め用のボルト６３の締結によって架台部１０に対して所望の角度を有した状態で架台部１０に固定される。
【００２６】
ナット６６は、円筒状に形成されて内部にねじ棒２１を挿通可能な貫通孔６６ａを有し、ナット６６の後端部には径方向に突出する環状のフランジ部６６ｂが形成されている。このフランジ部６６ｂは移動規制リング６４と当接してナット６６の前側への移動を規制する。ナット６６の前端部には、ナットカバー６８をピン６９によって一体的に連結するための連結孔６６ｃが設けられている。
【００２７】
移動規制リング６４は、円筒状に形成され、内部にねじ棒２１を挿通可能な貫通孔６４ａを有し、後側の内面にはねじブロック６１の雄ねじ部６１ｅに螺合可能な雌ねじ部６４ｂが形成され、前端部には内側へ突出してナット６６のフランジ部６６ｂに当接可能な環状の段部６４ｃが設けられている。この段部６４ｃの内径は、ナット６６の外径よりも僅かに大きな径を有している。このため、ナット６６をねじ棒２１に挿着し、ナット６６の後端部をねじブロック６１の前端部に接触させた状態で移動規制リング６４をねじブロック６１の雄ねじ部６１ｅに螺合すると、移動規制リング６４の段部６４ｃがナット６６のフランジ部６６ｂの前側近傍に移動してナット６６の前側への移動を規制する。なお、移動規制リング６４はねじブロック６１の雄ねじ部６１ｅに螺着すると、移動規制リング６４の先端部が架台本体部１１の側面に突き当たった状態となるとともに、段部６４ｃがナット６６のフランジ部６６ｂの近傍位置に配置されるように構成されている。このため、ナットカバー６８が回転すると、ナット６６もナットカバー６８と一緒に回転する。
【００２８】
ナットカバー６８は、前側が側面視において六角状に形成された六角部６８ａと後側が円筒状に形成された円形部６８ｂとを有してなる。六角部６８ａはスパナ等の工具を用いてナットカバー６８を回転させるときに用いられ、円形部６８ｂは作業者が手でナットカバー６８を回転させるときに用いられる。ナットカバー６８の内部にはねじ棒２１を挿通可能な貫通孔６８ｃが設けられ、貫通孔６８ｃの内面にはねじ棒２１の雄ねじ部２１ａに螺合可能な雌ねじ部６８ｄが設けられている。円形部６８ｂの外周には滑り止めのためのローレット目が設けられるとともに、ピン７０を介してナットカバー６８をナット６６に固定するための固定孔６８ｅが設けられている。ナットカバー６８は、ねじ棒２１に螺合すると、その円形部側の貫通孔６８ｃにナット６６の先端部が嵌合して連結孔６６ｃと固定孔６８ｅとが連通するように構成され、これらの孔にピン７０を挿通することで、ナットカバー６８はナット６６と一体的に連結される。
【００２９】
このように構成された送出機構部６０のナットカバー６８を一方側又は他方側に回転させると、ナットカバー６８の架台部１０に対する相対位置が変わることなく、ねじ棒２１が架台部１０に対して前側方向又は後側方向に移動する。つまり、ナットカバー６８を一方側に回動すると、ねじ棒２１は縮小する方向に移動し、ナットカバー６８を他方側に回動すると、ねじ棒２１は伸長する方向に移動する。
【００３０】
油圧シリンダ３０は、単動形のシリンダであり、シリンダチューブ３１とシリンダチューブ３１内に摺動自在に挿入されたシリンダロッド３３とを有してなる。シリンダチューブ３１のボトム側端部には、作動油をボトム側油室３４に供給するための供給ポート３５が設けられている。供給ポート３５には図示しない油圧ポンプから供給される作動油を流すための油圧ホースが着脱可能に装着される。この油圧ホースにはボトム側油室３４内の油圧を検出可能な油圧ゲージ（図示せず）が設けられ、この油圧ゲージによって表示される圧力値から足掛金物に作用する引張り荷重を換算することができる。
【００３１】
油圧シリンダ３０のシリンダチューブ３１は、架台部１０を中央にして一対の脚部２０，２０と反対側に配設され、連結軸４２を介して足掛金物に掛止可能な掛止部４５に連結されるとともに、架台部１０に対して脚部２０の延伸方向と略同一方向に移動自在に支持されている。油圧シリンダ３０は、ロッド側端部が架台部側に向いて前後方向に延びた状態で配置され、シリンダチューブ３１のロッド側端部にはシリンダフレーム４１が螺着されている。シリンダフレーム４１の左右両端部には前後方向に延びる前述した連結軸４２の一端側端部が固定され、連結軸４２の他端側は、架台部１０の摺動孔１１ｂに挿着されたブッシュ１５内を摺動可能に挿通して架台部１０の脚部２０側へ延出し、連結軸４２の他端部に掛止部４５が固定されている。即ち、連結部材４０は、シリンダフレーム４１と連結軸４２を有して構成されている。つまり、油圧シリンダ３０は連結部材４０を介して架台部１０に脚部２０の延伸方向と略同一方向に移動自在に支持されている。シリンダロッド３３の先端部は架台本体部１１の中央部に固着された係止部１６を介して固定されている。
【００３２】
このように取り付けられた油圧シリンダ３０が伸縮すると、シリンダロッド３３に対してシリンダチューブ３１が前後方向に移動し、これに伴って連結部材４０を介して掛止部４５が前後方向に移動する。
【００３３】
掛止部４５は、側面視において逆Ｕ字状に形成されて左右方向に延び、内部には足掛金物７３の足掛部７３ａを挿入可能な空間部４５ａが形成されている。掛止部４５の架台部側の側面部の左右両側に対応する連結軸４２の他端部が固定されている。
【００３４】
脚部２０の先端部に取り付けられた接触板５０は、一端側が開口した箱状に形成された本体部５２からなる。本体部５２の先端側にはマンホール７６の周壁７７に接触する接触面５３が設けられている。この接触面５３はマンホール７６の周壁７７に沿って接触できるように弯曲（例えば、Ｒ４５０ｍｍ）するとともに、図５（斜視図）に示すように、面全体にローレット目が設けられている。
【００３５】
次に、このように構成された足掛金物固定強度検査治具１を用いてマンホールの周壁７７に固定された足掛金物７３の周壁７７に対する引張固定強度を検査する場合の固定強度検査方法について説明する。
【００３６】
先ず、図６（ａ）（斜視図），図６（ｂ）（平面図），図６（ｃ）（側面図）に示すように、掛止部４５の向きを調整する。掛止部４５の向き調整は、架台部１０に螺合している角度位置決め用のボルト６３を緩めてねじブロック６１を回動自在にして接触板５０が架台部１０に対して左右方向（図面では水平方向）に向くようにねじブロック６１を回動する。そして、緩めたボルト６３を締結して、ねじブロック６１を架台部１０に固定する。
【００３７】
そして、架台部１０に対する脚部２０の長さ調整を行う。なお、図６（ａ）〜（ｃ）では脚部２０の長さを短くして固定強度検査を行う場合を示している。脚部２０の長さ調整はナットカバー６８を回転することにより行う。ナットカバー６８を一方側に回転すると、架台部１０に対してねじ棒２１が前側に移動して縮小する。そして、ねじ棒２１の長さが所望の長さになるまでナットカバー６８を回転する。なお、ナットカバー６８の回転は手動で行ったり、スパナ等の工具を用いたりしてもよい。ねじ棒２１の長さが所望の長さになると、ナットカバー６８の回転を止める。そして、同様に他方の脚部２０の向き及び長さ調整を行う。
【００３８】
また油圧シリンダ３０のシリンダチューブ３１を架台部１０から離反する方向に引っ張って、シリンダチューブ３１を前側に移動させるとともに、掛止部４５を架台部１０に接近する位置に移動させる。そして、一対の脚部２０，２０が上下方向に配置されるように足掛金物固定強度検査治具１の向きを調整し、一対の脚部２０，２０が足掛金物７３を跨ぐように足掛金物固定強度検査治具１を配置する。そして、接触板５０をマンホールの周壁７７に突き当てて回動させて周壁７７の周方向に沿って接触させ、掛止部４５に足掛金物７３の足掛部７３ａを掛止する。そして、油圧シリンダ３０に油圧ホース３７を介して作動油を供給する。
【００３９】
油圧シリンダ３０に作動油が供給されると、シリンダチューブ３１が前側に移動して掛止部４５が架台部側に移動し、掛止部４５を介して足掛金物７３が引っ張られる。足掛金物７３が引っ張られると、油圧シリンダ３０のボトム側油室内の油圧は、油圧ホース３７を介して油圧ゲージに伝達されて油圧ゲージによって測定される。そして、所定の油圧が油圧シリンダ３０に作用したときに、足掛金物７３が周壁７７から引き抜かれる変位量が殆どなければ、足掛金物７３の引張固定強度は強いと判断し、足掛金物７３が周壁７７から引き抜かれる変位量が大きければ引張固定強度は弱いと判断する。なお、油圧シリンダ３０への作動油の供給は、油圧が徐々に大きくなるように供給し、油圧が所定の油圧になる前に足掛金物７３が周壁７７から引き抜かれる変位量が大きくなると引張強度が弱いと判断してもよい。
【００４０】
ここで、油圧シリンダ３０による引張り荷重が足掛金物７３に作用すると、この引張り荷重はシリンダロッド３３、架台部１０等を介して一対の脚部２０，２０を周壁７７から離反させる方向に作用するが、足掛金物７３の引張固定強度が強い場合には、足掛金物７３が周壁７７から引き抜かれる変位量は小さいので、接触板５０が周壁７７から離れることはない。このため、油圧シリンダ３０の姿勢を足掛金物７３の脚部７３ｂと略同一方向に向いた姿勢に維持することができ、足掛金物７３の引張固定強度の検査を正確に行うことができる。
【００４１】
また接触板５０は周壁７７の周方向に沿って接地した状態に配置されているので、その接触面積は比較的に大きい。このため、足掛金物７３の周壁７７に対する変位が比較的に小さい場合には、接触板５０の周壁７７への接触面積が小さくなることはなく、油圧シリンダ３０の足掛金物７３に対する姿勢も足掛金物７３の脚部７３ｂと略同一方向に向いた姿勢に維持することができる。足掛金物７３の引張固定強度の検査結果の信頼性を向上することができる。
【００４２】
また油圧シリンダ３０は架台部１０に対して前後方向に移動自在に取り付けられているので、脚部２０が予め縮小状態にされ且つ脚部２０の向きも既に調整されている場合には、シリンダチューブ３１を架台部１０から離反させる位置に移動させる作業を行うだけで、足掛金物固定強度検査治具１の準備作業を終えることができる。また、脚部２０が架台部１０に対して予め伸長状態にされて脚部２０の向きも調整済みであるときは、図７（ａ）（平面図）及び図７（ｂ）（側面図）に示すように、シリンダチューブ３１を架台部１０側に接近させる作業を行うだけで、足掛金物固定強度検査治具１の準備作業を終えることができる。このように足掛金物固定強度検査治具１は、一対の脚部２０，２０の伸縮状態に応じて掛止部４５の位置調整を行うだけで足掛金物固定強度検査治具１の準備作業を終えることができるので、足掛金物７３に掛止部４５を掛止する作業の作業性を向上することができ、使い勝手が良い。
【００４３】
さらに、足掛金物固定強度検査治具１の接触板５０は弯曲している（例えば、Ｒ４５０ｍｍ）ので、その曲率半径は比較的に大きい。このため、図８（ａ）（斜視図），図８（ｂ）（平面図），図８（ｃ）（側面図）に示すように、表面が平らな周壁７７'に固定された足掛金物７３の周壁７７'に対する引張固定強度を検査する場合でも、接触板５０を平らな周壁７７'の表面に比較的に大きな面積を有して接地させることができる。このため、油圧シリンダ３０の姿勢を足掛金物７３の両端部に設けられた脚部７３ｂと略同一方向に向いた姿勢に維持することができ、足掛金物７３の引張固定強度の検査を正確に行うことができる。
【００４４】
また、前述した実施の形態では垂直方向に延びた周壁７７に固定された足掛金物７３の周壁に対する引張固定強度の検査を行う場合を例に示したが、上下方向に斜めに傾いた周壁に設けられた足掛金物７３の引張固定強度を検査する場合でも本願の足掛金物固定強度検査治具１を用いることができる。
【００４５】
この場合には、油圧シリンダ３０の姿勢を足掛金物７３の両端部に設けられた脚部７３ｂと略同一方向に向いた姿勢に維持するように、上側の脚部２０の長さを短く調整し、下側の脚部２０の長さを上側のそれより長く調整する。そして、足掛金物７３が設けられた周壁が垂直方向に延びる周壁の近くにある場合には、下側の脚部２０の先端部に設けられた接触板５０を垂直方向に延びる周壁に突き当て、上方の脚部２０の先端部に設けられた接触板５０を斜めに傾斜した周壁に突き当て、これらの接触板５０，５０を対応する周壁の周方向に回動して周壁に沿って接触させる。
【００４６】
また足掛金物７３の設けられた周壁が垂直方向に延びる周壁から離れている場合には、上側の脚部２０の長さを下側のそれの長さより短く調整した後に、一対の脚部２０，２０の各先端部に設けられた接触板５０の両方を斜めに傾斜した周壁の周方向に回動して周壁に沿って接触させる。このように本願の足掛金物固定強度検査治具１は、足掛金物７３が固定された周壁の傾斜状態に拘わることなく、接触板５０を広い面積を有して周壁に接触させことができ、一対の脚部２０，２０によって架台部１０が安定に支持されて、油圧シリンダ３０を足掛金物７３の両端部に設けられた脚部７３ｂの延伸方向と略同一方向に配置することができ、その結果、足掛金物７３の引張固定強度の検査を正確に行うことができる。
【００４７】
なお、前述した実施の形態は、下水道管に連通するマンホールの周壁７７に固定された足掛金物７３の引張固定強度の検査を行う場合を示したが、ガス管や共同溝に連通するマンホールの周壁に固定された足掛金物にも本願の足掛金物固定強度検査治具及び固定強度検査方法を適用することができる。
【図面の簡単な説明】
【００４８】
【図１】本発明の一実施の形態に係わる足掛金物固定強度検査治具の斜視図を示す。
【図２】本発明の一実施の形態に係わる足掛金物固定強度検査治具を示し、同図（ａ）は足掛金物固定強度検査治具の平面図であり、同図（ｂ）は足掛金物固定強度検査治具の側面図であり、同図（ｃ）は足掛金物固定強度検査治具の正面図である。
【図３】本発明の一実施の形態に係わる足掛金物固定強度検査治具の断面図を示し、同図（ａ）は図２（ｃ）のIIａ−IIａ矢視に相当する足掛金物固定強度検査治具の断面図であり、同図（ｂ）は図２（ｃ）のIIｂ−IIｂ矢視に相当する足掛金物固定強度検査治具の断面図である。
【図４】本発明の一実施の形態に係わる足掛金物固定強度検査治具の分解斜視図を示す。
【図５】足掛金物固定強度検査治具に設けられた接触板の斜視図を示す。
【図６】本発明の一実施の形態に係わる足掛金物固定強度検査治具の動作を説明するための図であり、同図（ａ）は足掛金物固定強度検査治具の斜視図であり、同図（ｂ）は足掛金物固定強度検査治具の平面図であり、同図（ｃ）は足掛金物固定強度検査治具の側面図である。
【図７】本発明の一実施の形態に係わる足掛金物固定強度検査治具の動作を説明するための図であり、同図（ａ）は足掛金物固定強度検査治具の平面図であり、同図（ｂ）は足掛金物固定強度検査治具の側面図である。
【図８】本発明の一実施の形態に係わる足掛金物固定強度検査治具の動作を説明するための図であり、同図（ａ）は足掛金物固定強度検査治具の斜視図であり、同図（ｂ）は足掛金物固定強度検査治具の平面図であり、同図（ｃ）は足掛金物固定強度検査治具の側面図である。
【図９】従来のマンホール診断装置を示し、同図（ａ）は従来のマンホール診断装置の斜視図であり、同図（ｂ）はマンホール診断装置を用いて足掛金物の周壁に対する引抜固定強度検査を行っている状態を示す斜視図である。
【符号の説明】
【００４９】
１  足掛金物固定強度検査治具
１０  架台部
２０  脚部
３０  油圧シリンダ
３１  シリンダチューブ
３３  シリンダロッド
４０  連結部材
４５  掛止部
５０  接触板
７３  足掛金物
７６  マンホール
７７  周壁
【図１】
0005078481.tif 000002
【図２】
0005078481.tif 000003
【図３】
0005078481.tif 000004
【図４】
0005078481.tif 000005
【図５】
0005078481.tif 000006
【図６】
0005078481.tif 000007
【図７】
0005078481.tif 000008
【図８】
0005078481.tif 000009
【図９】
0005078481.tif 000010